(57)【要約】【課題】  ナースカートにおいて、ノート型パソコン用トレイを有し、トレイを使用しないときは回動させて、バットに医療器具・医療用品・薬品等を入れて使用できること。【解決手段】  ナースカート１は看護師が検診に回るときはパソコントレイ５にノート型パソコン１５を積載し、係止部９にバーコードスキャナ１６を係止し、バット１０には体温計Ｍ１、血圧計Ｍ２等検診に必要な医療器具を積載する。そして、病室を順番に回り、入院患者のベッドのバーコードをバーコードスキャナ１６で読み取ると、入院患者が特定されその患者のファイルがノート型パソコン１５のディスプレイ上に読み出されるので、看護師は検温や血圧測定等の検診を行って、結果をそのファイルに入力する。パソコントレイ５を下方へ回動させれば、バット１０の上方が大きく開いて、ガーゼ・包帯・消毒薬等を積載でき、ガーゼや包帯の交換や点滴の薬液の交換等にも用いることができる。【選択図】        図２
2005046412.tif 000002
【特許請求の範囲】
【請求項１】
本体フレームの下端に前端と後端に分かれて取付けられた３個以上のキャスターと、
前記本体フレームの中間部分に取付けられたバットと、
前記本体フレームの上端に設けられた取っ手と、
前記本体フレームの上端の前記取っ手と反対側に一端が回動可能に取付けられたパソコントレイと、
前記パソコントレイを略水平に支持するトレイ支持具と
を具備することを特徴とするカート。
【請求項２】
前記パソコントレイに収納・引き出し可能に設けられたマウス用ボードを有することを特徴とする請求項１に記載のカート。
【請求項３】
前記パソコントレイに近接して設けられ、前記パソコントレイに載せたノート型パソコンを操作するために両手を乗せることができるハンドレストを有することを特徴とする請求項１または請求項２に記載のカート。
【請求項４】
前記本体フレームの下方の前記３個以上のキャスターの近傍に設けられ、もう１つのバットまたは手提げかごを載せることができる下段棚を有することを特徴とする請求項１乃至請求項３のいずれか１つに記載のカート。
【請求項５】
前記パソコントレイの近傍に設けられ、バーコードスキャナを係止することができる係止部を有することを特徴とする請求項１乃至請求項４のいずれか１つに記載のカート。
【請求項６】
前記３個以上のキャスターが全て静音キャスターであることを特徴とする請求項１乃至請求項５のいずれか１つに記載のカート。
【発明の詳細な説明】
【技術分野】
【０００１】
本発明は、主に入院設備のある病院で用いられるカートに関するものであり、特に、パソコンで入院患者の情報を管理している病院で用いられるナースカート、コンビニ、スーパー等の商品出しに好適なカートに関するものである。
【背景技術】
【０００２】
従来、入院設備のある病院では毎日定時に看護師（看護婦）による検診が行われ、入院患者１人々々についてナースカートに積載された体温計・血圧計・心電図測定装置等を用いて、検温、血圧測定、心電図測定等を行って、その結果をナースカートに積載された当該患者のカルテに記載するか、ホワイトボードに記載しておいて後でカルテに書き写す。また場合によっては、回診時にも医師に看護師がナースカートを押して付き添い、入院患者１人々々について医師が問診、聴診等を行って、その結果を看護師がナースカートに積載された当該患者のカルテに記載する。
【０００３】
しかし、近年、入院患者についての情報をカルテに記載するのではなく、パソコン上のデータとして管理しようとするいわゆるペーパーレス志向の病院が増えている。この際には、カルテの束またはホワイトボードの代わりにノート型パソコンをナースカートに積載して、ノート型パソコンにバーコードスキャナを接続し、入院患者のベッドに付けられているバーコードをバーコードスキャナで読み取ることによって入院患者を特定し、ノート型パソコンのディスプレイ上にその患者のデータファイルを呼び出し、検診の結果をキーボード或いはマウスを用いて入力する。
【発明の開示】
【発明が解決しようとする課題】
【０００４】
しかしながら、従来のナースカートではノート型パソコンを操作するのが困難であり、またノート型パソコン専用のナースカートを作ると、ノート型パソコンを使わないガーゼや包帯の交換や点滴の薬液の交換等には用いることができないため、両方の用途に適合したナースカートが要望されていた。
【０００５】
そこで、本発明は、ノート型パソコンを載置できるトレイを有するとともに、ノート型パソコンを使用しないときにはそのトレイを邪魔にならないように回動させて、バットに医療器具・医療用品・薬品等を入れて使用することができるカートを提供することを課題とするものである。
【課題を解決するための手段】
【０００６】
請求項１の発明にかかるカートは、本体フレームの下端に前端と後端に分かれて取付けられた３個以上のキャスターと、前記本体フレームの中間部分に取付けられたバットと、前記本体フレームの上端に設けられた取っ手と、前記本体フレームの上端の前記取っ手と反対側に一端が回動可能に取付けられたパソコントレイと、前記パソコントレイを略水平に支持するトレイ支持具とを具備するものである。
【０００７】
請求項２の発明にかかるカートは、請求項１の構成において、前記パソコントレイに収納・引き出し可能に設けられたマウス用ボードを有するものである。
【０００８】
請求項３の発明にかかるカートは、請求項１または請求項２の構成において、前記パソコントレイに近接して設けられ、前記パソコントレイに載せたノート型パソコンを操作するために両手を乗せることができるハンドレストを有するものである。
【０００９】
請求項４の発明にかかるカートは、請求項１乃至請求項３のいずれか１つの構成において、前記本体フレームの下方の前記３個以上のキャスターの近傍に設けられ、もう１つのバットまたは手提げかごを載せることができる下段棚を有するものである。
【００１０】
請求項５の発明にかかるカートは、請求項１乃至請求項４のいずれか１つの構成において、前記パソコントレイの近傍に設けられ、バーコードスキャナを係止することができる係止部を有するものである。
【００１１】
請求項６の発明にかかるカートは、請求項１乃至請求項５のいずれか１つの構成において、前記３個以上のキャスターが全て静音キャスターであるものである。
【発明の効果】
【００１２】
請求項１の発明にかかるカートにおいては、本体フレームの中間部分に金属製のバットが取付けられ、本体フレームの上端にはカートを押すための取っ手の反対側即ちバットの上方にパソコントレイが回動可能に取付けられている。検診時等、ノートパソコンを使用するときには、トレイ支持具でパソコントレイを略水平に支持してノートパソコンを載置する。そして、バットには体温計・血圧計・心電図測定装置等の医療器具を入れて、各病室を巡回し、入院患者１人々々の検診結果を各患者のファイルを読み出してキーボードで入力して行く。
【００１３】
また、ノートパソコンを使用しないときには、トレイ支持具を外してパソコントレイを下方に回動させる。これによって、バットの上方が広く開いてガーゼ・包帯・消毒薬・医療用粘着テープ・ピンセット・点滴の薬液入りパック等の医療用品・薬品を積載することができ、出し入れも容易になって、カートをガーゼや包帯の交換や点滴の薬液の交換等にも用いることができる。
【００１４】
このようにして、ノート型パソコンを載置できるトレイを有するとともに、ノート型パソコンを使用しないときにはそのトレイを邪魔にならないように回動させて、バットに医療器具・医療用品・薬品等を入れて使用することができるカートとなる。
【００１５】
請求項２の発明にかかるカートにおいては、ノート型パソコン積載時においてパソコントレイからマウス用ボードを引き出して、ノート型パソコンに接続されたマウスをマウス用ボードの上で操作することができるので、より一層使い勝手が良くなる。
【００１６】
このようにして、ノート型パソコンがより一層使い易くなるカートとなる。
【００１７】
請求項３の発明にかかるカートにおいては、ノート型パソコン積載時においてパソコントレイに近接して設けられたハンドレストに両手を乗せることができるので、キーボードを操作するときに両手をこのハンドレストに乗せれば、キーボードの操作が楽になり使い易くなる。
【００１８】
このようにして、ノート型パソコンがより一層使い易くなるカートとなる。
【００１９】
請求項４の発明にかかるカートにおいては、下段棚を有し、もう１つのバットや手提げかごを載せることができるので、もう１つのバットを載せた場合にはさらに多くの医療器具・医療用品・薬品等を入れて使用することができ、また手提げかごを載せた場合には掃除用の雑巾等を入れることができる。
【００２０】
このようにして、さらに多くの医療器具・医療用品・薬品等を入れて使用することができるカートとなる。
【００２１】
請求項５の発明にかかるカートにおいては、ノート型パソコン積載時においてバーコードスキャナをノート型パソコンに接続し、検診時に入院患者のベッドに付けられているバーコードをバーコードスキャナで読み取ることによって入院患者を特定し、ノート型パソコンのディスプレイ上にその患者のデータファイルを呼び出すことができるので、患者のデータファイルを検索する手間が省け、さらにノート型パソコンが使い易くなるカートとなる。
【００２２】
請求項６の発明にかかるカートにおいては、キャスターが全て静音キャスターとなっている。ここで、静音キャスターとは、回転部のボールベアリング部分が密封されているものであり、通常のキャスターではボールベアリング部分が開放されているために潤滑オイルが次第に揮発して、３ヶ月から半年くらいでボールベアリング部分が錆びてきて異音が出るようになる。そこで、静音キャスターを用いることによって、かかる不具合をなくして異音を出すことがなく、病院内の静寂を破ることなく静かにカートを押し進めることができる。
【発明を実施するための最良の形態】
【００２３】
以下、本発明の実施の形態のカートをナースカートとして用いる場合について、図１乃至図４を参照して説明する。
【００２４】
図１は本発明の実施の形態にかかるナースカートの全体構造を示す斜視図である。図２は本発明の実施の形態にかかるナースカートのパソコントレイにノート型パソコンを載置し、バーコードスキャナを接続し、下段棚にもう１つのバットを載せた状態を示す斜視図である。図３（ａ）は本発明の実施の形態にかかるナースカートのパソコントレイにノート型パソコンを載置した状態を示す側面図、（ｂ）はトレイ支持具でパソコントレイを略水平に支持した状態を示す説明図、（ｃ）はトレイ支持具を外してパソコントレイを下方に回動させた状態を示す説明図である。図４（ａ）は本発明の実施の形態にかかるナースカートのパソコントレイを示す正面図、（ｂ）は側面図、（ｃ）はマウス用ボードのスライド構造を示す底面図である。
【００２５】
図１に示されるように、本実施の形態のナースカート１は、ステンレス鋼パイプを屈曲させてなる１対の部材を上下２箇所で同じくステンレス鋼パイプで接続し、さらに略Ｕ字形に曲げたステンレス鋼パイプを前記１対の部材の下方に接続してなる本体フレーム２を中心として構成されるものである。この本体フレーム２の下端に、後端（前記１対の部材の下端）に２個、前端（略Ｕ字形のステンレス鋼パイプの前端）に２個、計４個の静音キャスター３が取付けられ、取っ手２ａを持って任意の方向へ走行させることができる。なお、取っ手２ａにはゴム製の持ち手が被せられている。
【００２６】
取っ手２ａの反対側には、１対の取付け部材１３を介して、ステンレス製のパソコントレイ５が本体フレーム２に対して回動可能に取付けられており、パソコントレイ５の下面には、マウス用ボード７をスライド可能に収納するスロット６が固定されている。さらに、このスロット６の下面には図示されない受け治具が固定されていて、この受け治具に本体フレーム２に対して回動可能に取付けられたトレイ支持具８が嵌合することによって、パソコントレイ５が略水平に支持される。なお、パソコントレイ５の上端は安全のため四方とも折り曲げ部分５ａとなっており、パソコントレイ５の三方の側面には、放熱のために貫通穴５ｂが穿設されており、底面には汚れ防止のためにウレタンシートが貼付けられている。そして、パソコントレイ５の近傍に位置する１対の取っ手２ａの根元の間を接続する本体フレーム２の上には、合成皮革にウレタンフォームを詰めたクッション性の良いハンドレスト４が固定されている。
【００２７】
このパソコントレイ５の近傍のやや下方には、バーコードスキャナを係止できる係止部９が本体フレーム２に固定されており、この係止部９は細いステンレス棒からなり矩形の一部が途切れた形状で、この途切れた部分には安全のためゴムキャップが被せられている。さらに、本体フレーム２の中間部分にはステンレス製の底の深いバット１０が固定されており、体温計・血圧計・心電図測定装置・注射器・ピンセット・吸入器等の医療器具や、ガーゼ・包帯・消毒薬・医療用粘着テープ・点滴の薬液入りパック等の医療用品・薬品を積載することができる。なお、バット１０の上端も折り曲げ部分１０ａとなっており、ステンレス板の鋭い縁で切り傷を作らないように、安全性への配慮がなされている。
【００２８】
そして、本体フレーム２の下方にはステンレス棒を屈曲させて本体フレーム２に溶接固定した下段棚１１が設けられており、想像線で示されるようにもう１つの底の浅いステンレス製のバット１２（バット１２の上端も折り曲げ部分１２ａとなっている。）を載せることができるようになっている。また、バット１２の代わりに、買い物かごのようなプラスティック製の手提げかごを載せることもできる。
【００２９】
このような構成を有する本実施の形態にかかるナースカート１の使用方法について、図２を参照して説明する。看護師が入院患者の検診に回るときには、図２に示されるように、パソコントレイ５にノート型パソコン１５を積載して、係止部９にノート型パソコン１５とＵＳＢケーブル等のケーブル１７で接続されたバーコードスキャナ１６を係止する。なお、ノート型パソコン１５には予め専用のソフトウェアがインストールされており、バーコードスキャナ１６からの入力信号を処理することが可能になっている。また、バット１０には体温計Ｍ１、血圧計Ｍ２等検診に必要な医療器具を積載する。
【００３０】
そして、看護師が取っ手２ａを両手で持ってナースカート１を押して病室を順番に回り、まずバーコードスキャナ１６を係止部９から外して入院患者のベッドに付けられているバーコードをバーコードスキャナ１６で読み取る。これによって、入院患者が特定され、その患者のファイルがノート型パソコン１５のディスプレイ上に読み出される。そこで、看護師は検温や血圧測定等の定められた検診を行って、その結果をその患者のファイルにノート型パソコン１５のキーボード・マウスを用いて入力する。
【００３１】
キーボードを用いる際には、ハンドレスト４に両手を乗せてタイプすればタイプがし易い。また、マウスを用いる際には、マウス用ボード７を引き出してその上でマウスを操作すれば良い。このようにして、入院患者１人々々について検診を行っていけば、従来のホワイトボードに書いて後でカルテに書き写したり、カルテを検診を行う入院患者分積載して直接カルテに書き込む方法に比べて遥かに楽であり、短時間で済み、また患者を取り違えるといった重大なミスも確実に防ぐことができる。
【００３２】
また、検診・回診以外の包帯の交換等の医療行為を行う場合には、ノート型パソコン１５・バーコードスキャナ１６は必要ないので降ろし、トレイ支持具８を図示されない受け治具から外して本体フレーム２に対して回動させることによって、パソコントレイ５が略水平の状態から下方へ回動して、１対の取付け部材１３を介して本体フレーム２に対して、ほぼ下方やや斜めに吊り下げられた状態になる。これによって、バット１０の上方が大きく開いて、ガーゼ・包帯・消毒薬・医療用粘着テープ・ピンセット・点滴の薬液入りパック等の医療用品・薬品を積載することができ、また出し入れも容易になって、ガーゼや包帯の交換や点滴の薬液の交換等にも用いることができる。このとき、下段棚１１に載置されたもう１つのバット１２は、使用済みガーゼ・使用済み包帯・使用済み点滴パック等の廃材を収納するのに使用できる。
【００３３】
次に、パソコントレイ５を略水平に支持し、また支持を外して下方へ回動させる構造について、図３を参照してもう少し詳しく説明する。図３（ａ）の側面図に示されるように、ノート型パソコン１５を積載する場合には、パソコントレイ５はトレイ支持具８によって略水平に支持される。ここで、トレイ支持具８はナースカート１の前後から見ると略コの字形に曲げられたステンレス棒で、コの字形の両端が外側へ略直角に伸びて両側の本体フレーム２内側に穿設された穴に回動可能に嵌合している。
【００３４】
図３（ｂ）の拡大図に示されるように、パソコントレイ５の下面にはマウス用ボード７をスライド可能に収納するスロット６が固定され、このスロット６の下面には断面略コの字形の受け治具６ａが固定されていて、この受け治具６ａに一端８ａを支点として本体フレーム２に対して回動可能に取付けられたトレイ支持具８の、略コの字形の中間部分８ｂが嵌合することによって、パソコントレイ５が略水平に支持される。パソコントレイ５の一端は、本体フレーム２に溶接固定された１対の取付け部材１３にボルト・ナット１３ａによって、本体フレーム２に対して回動可能に支持されている。
【００３５】
ノート型パソコン１５を積載しない場合には、パソコントレイ５の右端を持上げることによってトレイ支持具８の中間部分８ｂを受け治具６ａから外し、図３（ｃ）の拡大図に示されるように、本体フレーム２への取付け部分８ａを支点としてトレイ支持具８をぶら下げる。そして、パソコントレイ５をボルト・ナット１３ａを支点として下方へ回動させると、パソコントレイ５はスロット６の下面がトレイ支持具８の取付け部分８ａに当接して、下方やや斜めに吊り下げられた状態で止まる。これによって、バット１０の上方が大きく開いて、ガーゼ・包帯・消毒薬等の医療用品・薬品の出し入れが容易になって、ナースカート１をガーゼや包帯の交換や点滴の薬液の交換等にも用いることができる。
【００３６】
次に、パソコントレイ５にノート型パソコン１５を積載した場合に用いられるマウス用ボード７の取付け構造について、図４を参照して詳しく説明する。図４に示されるように、マウス用ボード７はスロット６内に引き出し可能に収納されているが、ナースカート１が傾いても勝手に滑り出してこないように、そして必要なときにはスムーズに引き出せるように工夫されている。
【００３７】
即ち、図４（ｃ）の底面図に示されるように、スロット６の底面には細長い貫通溝６ｂが穿設されており、一方マウス用ボード７の下面にはこの貫通溝６ｂにぴったり嵌まる円板形の凸部７ｂが設けられていて、マウス用ボード７がスロット６の奥まで押し込まれたときには、この凸部７ｂが貫通溝６ｂの前端に嵌合してマウス用ボード７は固定されている。さらに、マウス用ボード７の奥には、ボルト・ナット・ワッシャから構成されるガイド治具７ｃが貫通溝６ｂを挟んでスライド可能に取付けられている。
【００３８】
そこで、マウス用ボード７を引き出すときには、図４（ａ），（ｂ）にも示されるように、スロット６から突出しているボード引き手７ａを持上げて凸部７ｂを貫通溝６ｂから外し、そのまま引張れば、図４（ｃ）に想像線で示されるように、ガイド治具７ｃが貫通溝６ｂに沿ってスライドしながらマウス用ボード７が引き出される。図４（ｃ）では途中までしか引き出されていないが、実際はガイド治具７ｃが実線で示されている凸部７ｂの位置に来るまでマウス用ボード７を引き出すことができ、マウスを操作するのに充分なスペースが得られる。
【００３９】
以上説明したように、本実施の形態のナースカート１は、取っ手２ａのカバー，４個のキャスター３，ハンドレスト４，パソコントレイ５の底面のウレタンシート，係止部９のゴムキャップを除いて、全てステンレス製であり、清浄に保つのが容易である。
【００４０】
このようにして、本実施の形態にかかるナースカート１は、ノート型パソコン１５を載置できるパソコントレイ５を有するとともに、ノート型パソコン１５を使用しないときにはパソコントレイ５を邪魔にならないように回動させて、バット１０に医療器具・医療用品・薬品等を入れて使用することができる。また、ノート型パソコン１５積載時においてパソコントレイ５からマウス用ボード７を引き出して、ノート型パソコン１５に接続されたマウスをマウス用ボード７の上で操作できるので、より一層使い勝手が良くなる。さらに、パソコントレイ５に近接してハンドレスト４が設けられているので、キーボードを操作するときに両手をこのハンドレスト４に乗せれば、キーボードの操作が楽になりより使い易くなる。
【００４１】
また、下段棚１１を有し、もう１つのバット１２や手提げかご等を載せることができるので、もう１つのバット１２を載せた場合にはさらに多くの医療器具・医療用品・薬品等を入れて使用することができ、また手提げかごを載せた場合には掃除用の雑巾等を入れることができる。さらに、バーコードスキャナ１６をノート型パソコン１５に接続し、検診時に入院患者のベッドに付けられているバーコードをバーコードスキャナ１６で読み取ることによって入院患者を特定し、ノート型パソコン１５のディスプレイ上にその患者のデータファイルを呼び出すことができるので、患者のデータファイルを検索する手間が省け、さらにノート型パソコン１５が使い易くなる。そして、静音キャスター３を用いることによって異音を出すことがなく、病院内の静寂を破ることなく静かにナースカート１を押し進めることができる。
【産業上の利用可能性】
【００４２】
本発明を実施するに際しては、ナースカートで説明したが、他のカート、即ち、コンビニ、スーパー等の商品出しに好適なカートとして使用でき、また、部分的構成、形状、数量、材質、大きさ、接続関係等についても、本実施の形態に限定されるものではなく、公知の形態が使用できる。
【図面の簡単な説明】
【００４３】
【図１】図１は本発明の実施の形態にかかるナースカートの全体構造を示す斜視図である。
【図２】図２は本発明の実施の形態にかかるナースカートのパソコントレイにノート型パソコンを載置し、バーコードスキャナを接続し、下段棚にもう１つのバットを載せた状態を示す斜視図である。
【図３】図３（ａ）は本発明の実施の形態にかかるナースカートのパソコントレイにノート型パソコンを載置した状態を示す側面図、（ｂ）はトレイ支持具でパソコントレイを略水平に支持した状態を示す説明図、（ｃ）はトレイ支持具を外してパソコントレイを下方に回動させた状態を示す説明図である。
【図４】図４（ａ）は本発明の実施の形態にかかるナースカートのパソコントレイを示す正面図、（ｂ）は側面図、（ｃ）はマウス用ボードのスライド構造を示す底面図である。
【符号の説明】
【００４４】
１  ナースカート
２  本体フレーム
２ａ  取っ手
３  キャスター（静音キャスター）
４  ハンドレスト
５  パソコントレイ
７  マウス用ボード
８  トレイ支持具
９  係止部
１０  バット
１１  下段棚
１２  もう１つのバット
１５  ノート型パソコン
１６  バーコードスキャナ
Ｍ１  体温計
Ｍ２  血圧計
【図１】
2005046412.tif 000003
【図２】
2005046412.tif 000004
【図３】
2005046412.tif 000005
【図４】
2005046412.tif 000006